(57)【特許請求の範囲】
【請求項１】
競馬場又は競馬場以外に設けられた勝馬投票券場外発売所内に設置されたプリペイドカード発売専用端末と、プリペイドカード投票専用端末と、前記プリペイドカード発売専用端末から発売されたプリペイドカードの固有番号とそのカードの購入者が任意に定めた暗証番号をＩＤコードとして一時的な会員として登録管理する一時会員管理センタとから構成する勝馬投票受付のための一時会員プリペイド決済システムであって、
前記プリペイドカード発売専用端末は、現金識別収納機構とプリペイドカード収納機構を有し、投入された現金を識別して購入金額を指定させ、利用者が任意に定めた暗証番号を入力させて、プリペイドカードの固有番号、前記購入者の暗証番号、購入金額を前記一時会員管理センタへ通信回線を介して送信し、前記一時会員管理センタからの発売指令信号を受信してプリペイドカードを出力する機能を備え、
前記プリペイドカード投票専用端末は、利用者が前記プリペイドカード発売専用端末により購入したプリペイドカードの読込み機構を有し、カードリーダ部に挿入されたカード内容データと同時に利用者が入力した前記暗証番号とを前記一時会員管理センタへ通信回線を介し送信して、その一時会員管理センタからの利用者認証信号を受信し、端末にプリペイド残高金額を表示し、端末から入力された投票データを前記一時会員管理センタへ送信し、投票受付処理結果を受信して表示すると共に、その投票受付レシートを印字出力する機能を備え、
前記一時会員管理センタは、少なくともその管理業務手順プログラムを備えるアプリケーションサーバと、その業務に必要なデータベースと、通信回線接続部と、業務処理端末とからなり、
そのアプリケーションサーバは、前記プリペイドカード発売専用端末から通信回線を介してカード固有番号、利用者の暗証番号、購入金額を少なくとも含むデータを受信し、受信したプリペイドカードのカード内容データにより、その利用者を一時会員とするため一時会員管理ファイルに登録する一時会員登録手段と、
その一時会員登録結果とプリペイドカード発売信号を、前記プリペイドカード発売専用端末へ返信してプリペイドカードを発券し、発売させるカード発売信号返信手段と、
前記プリペイドカード投票専用端末から通信回線を介して受信した利用者入力の暗証番号と挿入カードのカード内容データとを前記一時会員管理ファイルと照合して、利用者の確認を行う利用者確認手段と、
その確認信号を前記投票専用端末へ返信すると共に、購入限度額と投票に必要とする項目を表示した投票入力画面を送信し、その一時会員へ入力させて投票データを受信する投票データ受信手段と、
その投票データを前記一時会員管理ファイルに記録し、その投票データに基づいて、前記勝馬現金投票所の発信端末から通信回線を経由して送信される投票データを集計すると共に開催案内／出馬表／オッズ情報を蓄積する総合センタと交信し、投票記録データを総合センタから受信し、一時会員管理ファイルの投票記録データを更新する総合センタ交信結果受信手段と、
その投票記録データを前記プリペイドカード投票専用端末へ返信し、その端末画面へ表示させる投票データ結果返信手段とを備えることを特徴とする一時会員プリペイド決済システム。
【請求項２】
前記アプリケーションサーバは、さらに総合センタと交信し、一時会員の勝馬投票による的中金を各レース終了毎に前記一時会員管理ファイルに記録し、そのファイルを払戻金が加わった購入限度額に更新する一方、プリペイドカードが投票専用端末へ挿入され、利用者確認後に、的中金があるか否かを一時会員管理ファイルで調べ、的中金があればその金額をプリペイドカードに書き込む指令をその端末へ送信する的中金加算手段を備えることを特徴とする請求項１記載の一時会員プリペイド決済システム。
【請求項３】
前記アプリケーションサーバはさらに、前記プリペイドカード発売専用端末から複数枚カードを一枚に合算の依頼信号を受信したときは、合算させたい複数枚のプリペイドカードを順次挿入口から入力させ、各残額データを受信し、残額を０とすると共に、その合算した購入限度額により一時会員管理ファイルを更新し、合算した購入限度額のプリペイドカードをカード排出口より出力するプリペイドカード合算手段を備えることを特徴とする請求項１または２記載の一時会員プリペイド決済システム。
【請求項４】
前記アプリケーションサーバはさらに、前記プリペイドカード発売専用端末から換金依頼信号を受信したときは、そのプリペイドカードを挿入口から入力させ、換金したい金額を入力させ、そのデータを受信し、一時会員管理ファイルより換金分を差引き更新し、カード残高が０円となればそのカードの一時会員管理ファイルを消去し、その換金分を現金排出口より排出する指令をその発売専用端末へ送信する一時会員プリペイド換金手段を備えることを特徴とする請求項１または２記載の一時会員プリペイド決済システム。
【請求項５】
前記アプリケーションサーバはさらに、プリペイドカードのデータが何らかの原因で消えてしまった場合には、カード固有番号と暗証番号を入力したプリペイドカード発売専用端末から再発行依頼信号を受信したときは、一時会員管理ファイルと照合して、正しければ通信回線を介し新たな固有番号のプリペイドカードをその端末から出力させ、そのファイルを登録すると共に、元の固有番号のプリペイドカードは使用不能とするプリペイドカード再発行手段を備えることを特徴とする請求項１または２記載の一時会員プリペイド決済システム。
【発明の詳細な説明】
【０００１】
【発明の属する技術分野】
本発明は、競馬場又は勝馬現金投票所施設（ウィンズ）内に設置され、プリペイドカードを管理するセンタに通信回線を介して接続されたプリペイドカード発売専用端末から現金でプリペイドカードを購入し、そのプリペイドカードを、投票専用端末へ挿入して、その購入限度額の範囲内で何回でも投票専用端末の接続先のそのセンタにより投票受付し、投票券は発行せず端末へ表示し、その間に勝馬的中した場合は前記センタより的中金が投票専用端末に挿入したプリペイドカードに書き込まれた購入限度額が増加するプリペイド決済システムに関する。
【０００２】
【従来の技術】
現在の投票所は全て現金で投票券を購入する端末機器の形態が通常であった。この形態の標準的な自動発売機には、現金還流（放出ユニット）と発券ユニットが、自動払戻機には投票券読取りユニットが搭載されているが、これらのユニットを備えるため端末機器費は高額な設備となっていた。
【０００３】
その上、投票券の装填、現金収納、払戻投票券の回収、紙幣や投票券の紙詰まりなどの運用面での対応を要する。このため、その業務に従事する従業員の労力は大であり、維持運用経費をさらに増加させていた。
【０００４】
前述の自動払戻機を発払兼用機とすることでその設備費用は多少軽減される程度であり、各レース毎に現金でそのつど投票券を放出している現状の発券端末機器の形態では、設備資金、保守系費の低減が困難であった。さらに紙幣を扱っているためにどうしてもレース毎の締切間際の紙詰まりによるトラブルが絶えなかった。
【０００５】
以上は主催者側から見た問題点であったが、一方、利用者側からも以下のような問題点があった。すなわち、利用者にとって投票券の購入資金が足りないときにいちいちレースが確定する毎に小銭を含んだ払戻金を受け取り、次のレースの投票券を購入するのは非常に面倒であった。また、投票券購入の際は精算時に投票券の排出口と、つりの紙幣と硬貨の排出口が異なり、それぞれを別の出口から受け取るため、取り忘れの発生が多い問題があった。
【０００６】
【発明が解決しようとする課題】
本発明は前述した点に鑑みてなされたものであり、その目的とするところは、プリペイドカード発売専用端末機と、プリペイドカード投票専門端末を備え、そのプリペードカードの利用者を、端末と通信回線を介して一時会員とすることにより、投票券を発行しないで投票受付処理及び勝馬的中金払戻処理が行えるシステムを構築し、機器及び人的コストの大幅削減、払い戻し準備資金の低減化・接客トラブルの解消と共に、利用者の投票券購入手続の迅速化、つり紙幣などの取り忘れの低減をはかり、前述の問題点を解決することにある。
【０００７】
【課題を解決するための手段】
前記課題を解決するための、本発明の一時会員プリペイド決済システムは、競馬場又は競馬場以外に設けられた勝馬投票券場外発売所内に設置されたプリペイドカード発売専用端末と、プリペイドカード投票専用端末と、前記プリペイドカード発売専用端末から発売されたプリペイドカードの固有番号とそのカードの購入者が任意に定めた暗証番号をＩＤコードとして一時的な会員として登録管理する一時会員管理センタとから構成する勝馬投票受付のための一時会員プリペイド決済システムであって、
前記プリペイドカード発売専用端末は、現金識別収納機構とプリペイドカード収納機構を有し、投入された現金を識別して購入金額を指定させ、利用者が任意に定めた暗証番号を入力させて、プリペイドカードの固有番号、前記購入者の暗証番号、購入金額を前記一時会員管理センタへ通信回線を介して送信し、前記一時会員管理センタからの発売指令信号を受信してプリペイドカードを出力する機能を備え、
前記プリペイドカード投票専用端末は、利用者が前記プリペイドカード発売専用端末により購入したプリペイドカードの読込み機構を有し、カードリーダ部に挿入されたカード内容データと同時に利用者が入力した前記暗証番号とを前記一時会員管理センタへ通信回線を介し送信して、その一時会員管理センタからの利用者認証信号を受信し、端末にプリペイド残高金額を表示し、端末から入力された投票データを前記一時会員管理センタへ送信し、投票受付処理結果を受信して表示すると共に、その投票受付レシートを印字出力する機能を備え、
前記一時会員管理センタは、少なくともその管理業務手順プログラムを備えるアプリケーションサーバと、その業務に必要なデータベースと、通信回線接続部と、業務処理端末とからなり、
そのアプリケーションサーバは、前記プリペイドカード発売専用端末から通信回線を介してカード固有番号、利用者の暗証番号、購入金額を少なくとも含むデータを受信し、受信したプリペイドカードのカード内容データにより、その利用者を一時会員とするため一時会員管理ファイルに登録する一時会員登録手段と、
その一時会員登録結果とプリペイドカード発売信号を、前記プリペイドカード発売専用端末へ返信してプリペイドカードを発券し、発売させるカード発売信号返信手段と、
前記プリペイドカード投票専用端末から通信回線を介して受信した利用者入力の暗証番号と挿入カードのカード内容データとを前記一時会員管理ファイルと照合して、利用者の確認を行う利用者確認手段と、
その確認信号を前記投票専用端末へ返信すると共に、購入限度額と投票に必要とする項目を表示した投票入力画面を送信し、その一時会員へ入力させて投票データを受信する投票データ受信手段と、
その投票データを前記一時会員管理ファイルに記録し、その投票データに基づいて、前記勝馬現金投票所の発信端末から通信回線を経由して送信される投票データを集計すると共に開催案内／出馬表／オッズ情報を蓄積する総合センタと交信し、投票記録データを総合センタから受信し、一時会員管理ファイルの投票記録データを更新する総合センタ交信結果受信手段と、
その投票記録データを前記プリペイドカード投票専用端末へ返信し、その端末画面へ表示させる投票データ結果返信手段とを備えることを特徴とする。
【０００９】
また、前記アプリケーションサーバは、さらに総合センタと交信し、一時会員の勝馬投票による的中金を各レース終了毎に前記一時会員管理ファイルに記録し、そのファイルを払戻金が加わった購入限度額に更新する一方、プリペイドカードが投票専用端末へ挿入され、利用者確認後に、的中金があるか否かを一時会員管理ファイルで調べ、的中金があればその金額をプリペイドカードに書き込む指令をその端末へ送信する的中金加算手段を備えることを特徴とする。
【００１０】
また、前記アプリケーションサーバはさらに、前記プリペイドカード発売専用端末から複数枚カードを一枚に合算の依頼信号を受信したときは、その複数枚のプリペイドカードを順次挿入口から入力させ、各残額データを受信し、残額を０とすると共に、その合算した購入限度額により一時会員管理ファイルを更新し、その購入限度額のプリペイドカードをカード排出口より出力するプリペイドカード合算手段を備えることを特徴とする。
【００１１】
また、前記アプリケーションサーバはさらに、前記プリペイドカード発売専用端末から換金依頼信号を受信したときは、そのプリペイドカードを挿入口から入力させ、換金したい金額を入力させ、そのデータを受信し、一時会員管理ファイルより換金分を差引き更新し、カード残高が０円となればそのカードの一時会員管理ファイルを消去し、その換金分を現金排出口より排出する指令をその発売専用端末へ送信する一時会員プリペイド換金手段を備えることを特徴とする。
【００１２】
また、前記アプリケーションサーバはさらに、プリペイドカードのデータが何らかの原因で消えてしまった場合には、カード固有番号と暗証番号を入力したプリペイドカード発売専用端末から再発行依頼信号を受信したときは、一時会員管理ファイルと照合して、正しければ通信回線を介し新たな固有番号のプリペイドカードの再発行をその端末から出力させ、そのファイルを登録すると共に、元の固有番号のプリペイドカードは使用不能とするプリペイドカード再発行手段を備えることを特徴とする。
【００１３】
【発明の実施の形態】
本発明の実施の形態を以下図に基づいて説明する。
図１は、本発明の一時会員プリペイド決済システムの一実施例の構成を示す説明図である。
【００１４】
図１において、７０はプリペイドカード用端末を示し、それはプリペイドカード発売専用端末７０ａと、プリペイドカード投票専用端末７０ｂとからなる。
【００１５】
前記プリペイドカード発売専用端末７０ａは、現金識別収納機構とプリペイドカード収納機構を有し、競馬場又は勝馬現金投票所施設（ウィンズ）内に設置されており、カード固有番号（或は一連の通し番号）を各カードに記載し、その番号と購入金額及び利用者が入力して任意に定めた暗証番号をプリペイドカードに書き込むと共に、利用者を一時会員として登録し投票処理を実行する一時会員管理センタ１０へ、それらのカード内容データ（カード固有番号・暗証番号・購入金額）を通信回線９０を介して送信し、一時会員管理センタ１０からのカード発売指定信号により、そのプリペイドカードを出力し発売する。
【００１６】
また、プリペイドカード投票専用端末７０ｂは、発売専用端末７０ａの近隣に設置されており、利用者が発売専用端末７０ａにより購入したプリペイドカードの内容データを挿入されるカードリーダ部から読出し、同時に利用者が入力した前記暗証番号と前記カード内容データを前記一時会員管理センタ１０へ通信回線９０を介し送信して、そのセンタ１０からの利用者認証信号を受信後、端末７０に購入限度額を表示し、端末での限度額内の入力された投票データを一時会員管理センタ１０へ送信し、そのセンタ１０における投票受付処理結果を受信して表示すると共に、その投票受付レシートを印字出力する。ここで、従来の勝馬投票券は発行せず、一時会員管理センタ１０に投票記録が記憶される。
【００１７】
４０は総合センタであり、前記勝馬現金投票所投票券販売機及び払戻機端末群６０の発信端末からの通信回線或は専用回線を経由して送信される投票データを集計すると共に、開催案内／出馬表／オッズ情報等を蓄積し、５０はその総合センタのバックアップセンタである。
【００１８】
１０は、前述した一時会員管理センタであり、この実施例ではその管理業務手順プログラムを供えるアプリケーションサーバ１１と、その業務に必要な一時会員管理ファイル１３ａを設けたデータベース１３を管理するデータベースサーバ１２と、プリペイドカード用端末７０と接続するためのモデムを含む通信回線接続部１４と、総合センタ４０と接続された専用通信回線接続部１６と、業務処理端末１７と、ＬＡＮ１９よりなる。
【００１９】
前記アプリケーションサーバ１１は、各種手段１１ａ、１１ｂ、１１ｃ、１１ｄ、１１ｅ、１１ｆ、１１ｇを少なくとも備える。
【００２０】
前記一時会員登録手段手段１１ａは、プリペイドカード発売専用端末７０ａから通信回線９０を介して受信したカード固有番号、利用者の暗証番号、購入金額のカード内容データにより、その利用者を一時会員とするため一時会員管理ファイル１３ａに登録する手段である。
【００２１】
前記カード発売信号返信手段手段１１ｂは、その一時会員登録結果によりプリペイドカード発売信号を端末７０ａへ返信してプリペイドカードを発券し発売させる手段である。
【００２２】
前記利用者確認手段１１ｃは、投票専用端末７０ｂから通信回線９０を介して受信した挿入カードのカード内容データと利用者入力の暗証番号とを前記一時会員管理ファイル１３ａと照合して利用者の確認を行う手段である。
【００２３】
前記投票データ受信手段１１ｄはその確認信号を投票専用端末７０ｂへ返信すると共に購入限度額と投票データに必要とする項目を表示した入力画面を端末７０ｂへ送信し、その一時会員へ入力させて投票データを受信する手段である。
【００２４】
前記総合センタ交信結果受信手段１１ｅは、受信した投票データに基づいて総合センタ４０と交信し、投票記録データを総合センタ４０から受信し、一時会員管理ファイル１３ａを記録更新する手段である。
【００２５】
前記投票データ結果返信手段１１ｆは、投票記録データを投票専用端末７０ｂへ返信し、その端末画面へ表示させ、投票券は発行せず、その投票受付レシートを印字出力する手段である。
【００２６】
前記的中金加算手段１１ｇは、総合センタ４０と交信し、一時会員の勝馬投票による的中金を各レース毎に一時会員管理ファイル１３ａに記録し、一方、プリペイドカードが投票専用端末７０ｂへ挿入されたときには、的中金があるか否かを一時会員管理ファイル１３ａで調べ、的中金があればその金額をプリペイドカードに書込み、その払戻金が加わった購入限度額とする手段である。
【００２７】
尚、図示してはいないが、以下のようなプリペイドカード合算手段を備える。すなわち、プリペイドカード発売専用端末７０ａから複数枚カードを一枚に合算の依頼信号を受信したときは、合算させたい複数枚のプリペイドカードを順次挿入口から入力させ、各カードの残額を０円とすると共に、その合算した購入限度額により一時会員管理ファイル１３ａのその一時会員テーブルを更新し、合算した購入限度額のプリペイドカードをカード排出口より出力するプリペイドカード合算手段とを備える。
【００２８】
また、発売専用端末７０ａから換金依頼信号を受信したときは、そのプリペイドカードを挿入口から入力させて、表示画面で換金したい金額を入力させ、そのデータを受信し、一時会員管理ファイル１３ａを更新し、残高が０円となればそのカードの一時会員管理ファイル１３ａを消去し、その換金分を現金排出口より排出する指令を、その端末７０ａへ送信する一時会員プリペイド換金手段を備える。
【００２９】
またプリペイドカードのデータが何らかの原因で消去されてしまった場合は、プリペイドカード再発行手段を備える。プリペイドカード再発行手段は、プリペイドカード発売専用端末７０ａで再発行依頼を選択し、利用者の控や投票受付レシートに記載されたカード固有番号と利用者が任意に定めた暗証番号を端末画面で入力させ、一時会員管理ファイル１３ａと照合して、正しければ通信回線を介し、新たな固有番号のプリペイドカードの再発行をその端末７０ａから出力発券させ、その一時会員管理ファイル１３ａに登録すると共に、元の固有番号のプリペイドカードの一時会員管理ファイル１３ａを消去し使用不能とする手段である。
【００３０】
次に本発明の一時会員プリペイド決済システムの動作の流れ図を図２、図３、図４に基づいて説明する。
【００３１】
図２は、プリペイドカード購入モードを示し、図３、図４は、その購入したプリペイドカードによる投票モードを示す。
【００３２】
Ｓ２１、Ｓ２２は利用者が発売専用端末７０ａでカード購入を選択すればセンタ１０はそのカード購入入力画面を端末７０ａへ送信することを示す。
【００３３】
Ｓ２３は端末７０ａの入力画面で暗証番号と購入限度額を入力させ、それらデータとカード固有番号のカード内容データをセンタ１０へ送信することを示す。
【００３４】
Ｓ２４は、一時会員登録手段１１ａ、Ｓ２５はカード登録信号返信手段１１ｂを示す。Ｓ２６はそのカード発売信号を受信してカード発売することを示す。
図３のＳ３１、Ｓ３２は利用者が投票専用端末７０ｂで投票を選択すれば、センタ１０は投票データ受付入力画面を端末７０ｂへ送信することを示す。
【００３５】
Ｓ３３は端末７０ｂの投票データ受付入力画面で利用者にプリペイドカードをカードリーダ部へ挿入させ、暗証番号を入力させることを示す。
【００３６】
Ｓ３４は利用者確認手段１１ｃを示し、Ｓ３５はセンタ１０が、その確認により、端末７０ｂへ投票データ入力画面を送信し、Ｓ３６が端末７０ｂで利用者へ投票データを入力させセンタ１０へ送信することを示す。
【００３７】
Ｓ３７はセンタ１０の投票データ受信手段１１ｄを示す。
【００３８】
図４のＳ４１、Ｓ４２はそれぞれ総合センタ交信手段１１ｅ、投票データ結果返信手段１１ｆを示し、Ｓ４３は端末７０ｂにその表示を行うことを示す。
Ｓ４４〜Ｓ４７は的中金加算手段１１ｇを示す。
【００３９】
尚さらに、図２のＳ２１においてプリペイドカード発売専用端末７０ａの入力画面メニューで複数枚のプリペイドカードを一枚に合算する合算項目を選択すれば、その合算依頼信号をセンタ１０は受信して、一時会員管理ファイル１３ａに合算した一時会員のテーブルを作成し、他のカードは０円としてそのテーブルは使用不能とし、端末７０ａへ合算した購入限度額のプリペイドカードを発券させるプリペイドカード合算手段を備えてもよい。（図１に図示してない）
【００４０】
また、図２のＳ２１においてプリペイドカード発売専用端末７０ａの入力画面メニューでプリペイドカードを換金する項目を選択すれば、その換金依頼信号をセンタ１０は受信して、一時会員管理ファイル１３ａよりその一時会員のテーブルの換金分を更新し、残高が０円となれば、そのカードのファイル１３ａのテーブルを消去し、その換金分を端末７０ａへ排出する指令を発売専用端末７０ａへ送信する一時会員プリペイド換金手段を備えてもよい。（図１に図示してない）
【００４１】
また、図２のＳ２１においてプリペイドカード発売専用端末７０ａの入力画面メニューでプリペイドカードの再発行項目を選択すれば、この再発行依頼信号をセンタ１０は受信してその際入力したカード固有番号及び暗証番号と一時会員管理ファイル１３ａと照合して正しければ、再発行を許可して、端末７０ａへ新固有番号のプリペイドカードの再発行指令を行い、ファイル１３ａに登録し、その固有番号のプリペイドカードを使用不能とするプリペイドカード再発行手段を備えてもよい。（図１に図示してない）
【００４２】
尚、本発明の実施に当たって、競馬法に定める投票行為の制限規定に該当するものは利用できない旨の告知及び確認を行なうことは言うまでもない。例えば、登録画面で学生・未成年者の利用制限を告知する。さらに、一時会員管理ファイルには、本人の氏名、生年月日、自宅電話番号などの本人確認情報を登録必須条件としても良い。
【００４３】
【発明の効果】
本発明の一時会員プリペイド決済システムは以下に示す効果を奏する。
【００４４】
すなわち、現金で投票券を購入する競馬場又は勝馬現金投票所施設（ウィンズ）内に設置されたプリペイドカード用端末で何時でもプリペイドカードを購入することができ、また、各レース毎にそのプリペイドカードにより購入限度額内で投票データを入力して投票券を発行せずに投票受け付け手続きを行うことができ、また、勝馬的中金払戻金は次回よりプリペイドカードに加算されるので、本システムの機器及び人的コストの大幅削減・準備資金の低減化、接客トラブルの解消となり、一方、利用者の側にとっては購入手続などの負担軽減、払い戻しの取り忘れの低減を図ることができる。
【図面の簡単な説明】
【図１】本発明の一時会員プリペイド決済システムの説明図である。
【図２】本発明の一時会員プリペイド決済システムの流れ図（１）である。（プリペイドカード購入モード）
【図３】本発明の一時会員プリペイド決済システムの流れ図（２）である。（プリペイドカードによる投票モード）
【図４】本発明の一時会員プリペイド決済システムの流れ図（３）である。（プリペイドカードによる投票モード続き）
【符号の説明】
１０      一時会員管理センタ
１１      アプリケーションサーバ
１１ａ    一時会員登録手段
１１ｂ    カード登録信号返信手段
１１ｃ    利用者確認手段
１１ｄ    投票データ受信手段
１１ｅ    総合センタ交信手段
１１ｆ    投票データ結果返信手段
１１ｇ    的中金加算手段
１２      データベースサーバ
１３      データベース
１３ａ    一時会員管理ファイル
１４      モデムを含む通信回線接続部
１６      総合センタへの専用通信回線接続部
１９      ＬＡＮ
４０      総合センタ
５０      バックアップセンタ
６０      現金投票所投票券券売機及び払戻機端末群
７０      プリペイドカード用端末
７０ａ    プリペイドカード発売専用端末
７０ｂ    プリペイドカード投票専用端末
９０      通信回線
【図１】
0003643889.tif 000002
【図２】
0003643889.tif 000003
【図３】
0003643889.tif 000004
【図４】
0003643889.tif 000005